(57)【要約】【課題】全体をできるだけ小さくし、外力による解除を少なくし、外力が作用しても開き難くし、ループの解除を抑制し、脱落、紛失を防止し得る装飾用鎖類の止め金具を提供すること。【解決手段】鎖類３を通す溝状通路１ａを形成するために断面略Ｕ字形の樋状に形成された金具本体１と、この金具本体１の溝状通路１ａに通された鎖類３を該溝状通路１ａ内で拘束するために金具本体１の溝状通路１ａの一端側上部にヒンジ軸４を介して起伏操作可能に枢着されたロックレバー２とを備え、このロックレバー２を倒伏操作したとき鎖類３を拘束させると共に、金具本体１の上部開口部１ｂを蓋状に閉鎖させ、かつ、ロックレバー２を起立操作したとき鎖類３の拘束を解除させると共に、金具本体１の上部開口部１ｂを開口させるように構成してある。【選択図】図１
2010246704.tif 000002
【特許請求の範囲】
【請求項１】
鎖類を通す溝状通路を形成するために断面略Ｕ字形の樋状に形成された金具本体と、この金具本体の溝状通路に通された鎖類を該溝状通路内で拘束するために金具本体の溝状通路の一端側上部に該溝状通路を横切る方向のヒンジ軸を介して起伏操作可能に枢着されたロックレバーとを備え、該ロックレバーのヒンジ軸付近には鎖類のロック部が設けられており、このロックレバーを倒伏操作したときロック部で鎖類を拘束させると共に、金具本体の上部開口部を蓋状に閉鎖させ、かつ、ロックレバーを起立操作したときロック部による鎖類の拘束を解除させると共に、金具本体の上部開口部を開口させるように構成してあることを特徴とする装飾用鎖類の止め金具。
【請求項２】
鎖類を通す環状通路を有する筒状の金具本体と、この金具本体の一端に前記環状通路を取り囲んで配置されたＣ字形等の割り環状の鎖類挟持片とを備え、該鎖類挟持片は、拡縮変形可能となるよう割り環状の周方向一部で金具本体に部分的に固着してあることを特徴とする装飾用鎖類の止め金具。
【請求項３】
前記金具本体は、２個分を直列接続して構成されていることを特徴とする請求項１又は２に記載の装飾用鎖類の止め金具。
【請求項４】
前記金具本体は、２個分を並列接続して構成されていることを特徴とする請求項１又は２に記載の装飾用鎖類の止め金具。
【請求項５】
前記金具本体は、２個分を屈曲接続して構成されていることを特徴とする請求項１又は２に記載の装飾用鎖類の止め金具。
【請求項６】
前記金具本体には、前記ロックレバーの倒伏端位置を規制するストッパーと係止部とが設けられていることを特徴とする請求項１、３〜５の何れか１項に記載の装飾用鎖類の止め金具。
【請求項７】
前記ロック部は、ロックレバーに一体に形成された押さえ爪又はロックレバーに取り付けられたシリコンゴム等の弾性押さえ部で構成されていることを特徴とする請求項１、３〜６の何れか１項に記載の装飾用鎖類の止め金具。
【請求項８】
前記金具本体の側面及び／又は底面には、鎖類への連結環及び／又はアクセサリー吊り下げ具が取り付けてあることを特徴とする請求項１〜７の何れか１項に記載の装飾用鎖類の止め金具。
【発明の詳細な説明】
【技術分野】
【０００１】
本発明は、ネックレスやブレスレットなどの装飾用鎖類の一端に取り付けておき、着用時、鎖類の他端に係止してループを形成保持させ、或いは、鎖類の途中に係止してループの大きさを調節する場合等に使用される装飾用鎖類の止め金具に関するものである。
【背景技術】
【０００２】
従来、ネックレスやブレスレットなどの止め金具として、バネで閉止力を付勢された一対の挟持片からなる洗濯ハサミ型のものがある（例えば、特許文献１，２等参照）。
【先行技術文献】
【特許文献】
【０００３】
【特許文献１】特開２００６−１９８３４８号公報
【特許文献２】特願２００７−１９５６０６号公報
【発明の概要】
【発明が解決しようとする課題】
【０００４】
特許文献１の止め金具は、一対の挟持片で鎖類の途中を横から挟持させるという取付形態となるため、鎖類から脱落し易く、しかも、ヒンジ部の先端側に鎖類の挟持部を形成し、ヒンジ部の後端側に操作摘み部を突出形成しておく必要があり、全体の形状が大きくなるという問題点があると共に、突出形成された操作摘み部に外力が当たりやすく、また、操作を容易にするためにバネ力を小さくしておく必要があり、少しの外力で挟持片が開き、鎖類の挟持が外れて鎖類のループが解除され、全体が脱落し、紛失し易いという問題点がある。
【０００５】
また、特許文献２の止め金具は、一対の挟持片の一方に返し部を設けて挟持片が外力で開いた場合でも鎖類から外れにくくしているが、この場合では、返し部を設けているために、挟持片がさらに大きくなると共に、挟持可能な相手側の形状がリング同士を連結したものに制約されるという問題点がある。
本発明は、従来の止め金具の前記問題点に鑑み、全体をできるだけ小さくし、外力による解除を少なくし、外力が作用しても開き難くし、ループの解除を抑制し、脱落、紛失を防止し得る装飾用鎖類の止め金具を提供することを目的としている。なお、本発明において、鎖類とは、ネックレス、ブレスレット等の装身具に適用される各種の鎖、連珠、紐、芯糸を挿通して綴られたビーズ類、曲玉・管状の宝石、貴石、人工石類、など連続して綴られた装飾用アクセサリー全般を含むものと解されたい。
【課題を解決するための手段】
【０００６】
前記目的を達成するために本発明は、鎖類を通す溝状通路を形成するために断面略Ｕ字形の樋状に形成された金具本体と、この金具本体の溝状通路に通された鎖類を該溝状通路内で拘束するために金具本体の溝状通路の一端側上部に該溝状通路を横切る方向のヒンジ軸を介して起伏操作可能に枢着されたロックレバーとを備え、該ロックレバーのヒンジ軸付近には鎖類のロック部が設けられており、このロックレバーを倒伏操作したときロック部で鎖類を拘束させると共に、金具本体の上部開口部を蓋状に閉鎖させ、かつ、ロックレバーを起立操作したときロック部による鎖類の拘束を解除させると共に、金具本体の上部開口部を開口させるように構成してあることを特徴としている。
【０００７】
この構成によれば、金具本体は鎖類を通す溝状通路をもつ断面略Ｕ字形樋状に形成しておけばよく、溝状通路の長さ方向寸法は連続して綴られている鎖類の最少単位２個分程度あればよく、ロックレバーは金具本体の上部開口部を蓋状に閉鎖可能な形状であればよく、従来の洗濯ハサミ型のもののように、ヒンジ軸を挟んで先端側に挟持部を、後端側に操作摘み部を設けるものに比べて、ヒンジ軸の一方側に集約して構成でき、止め金具全体を小さくすることができる。しかも、鎖類は、金具本体の溝状通路に挿通してあるため、ロックレバーが、万一、ロック解除されても、鎖類が金具本体から遊離脱落せず、ループ長さの調節が容易にできる。また、ロックレバーは、倒伏操作時、ロック部で鎖類を拘束させると共に、金具本体の上部開口部を蓋状に閉鎖させているため、ロックレバーを金具本体に埋没させたような状態に隠すことができ、その結果、外力によってロックが解除され難くなり、不測の脱落、紛失を防止することができる。
【０００８】
また、本発明に係る装飾用鎖類の止め金具は、鎖類を通す環状通路を有する筒状の金具本体と、この金具本体の一端に前記環状通路を取り囲んで配置されたＣ字形等の割り環状の鎖類挟持片とを備え、該鎖類挟持片は、拡縮変形可能となるよう割り環状の周方向一部で金具本体に部分的に固着してあることを特徴としている。
この構成によれば、金具本体は鎖類を通す環状通路をもつ筒状に形成しておけばよく、溝状通路の長さ方向寸法は連続して綴られている鎖類の最少単位２個分程度あればよく、また、鎖類挟持片は、Ｃ字形等の割り環状に形成して拡縮変形可能となるよう割り環状の周方向一部で金具本体に部分的に固着しておけばよく、止め金具全体を一層小型化することができる。そして、鎖類挟持片をペンチ等の工具で縮径変形させることにより、金具本体に挿通した鎖類を挟持させて固定ロックさせることができ、この場合、鎖類挟持片が隣接する鎖片間に嵌り込むため、外力により脱落、紛失することが防止でき、また、鎖類挟持片を適宜の拡開工具で拡径変形させることにより、金具本体に挿通した鎖類の固定ロックを解除させて鎖類のループ長さの調節を容易に行うことができる。なお、万一、鎖類挟持片による鎖類の固定ロックが解除されても、金具本体に鎖類を挿通してあるため、鎖類が金具本体から遊離脱落せず、不測の紛失を防止することができる。
【０００９】
前記金具本体は、２個分を直列接続して構成されていてもよく、また、前記金具本体は、２個分を並列接続して構成されていてもよく、さらに、前記金具本体は、２個分を屈曲接続して構成されていてもよい。これらの構成によれば、鎖類の端部に連結具を設ける手間を省略することができ、鎖類を所望長さのループに形成すること及びループ長さを調整することが容易となる。
また、前記金具本体には、前記ロックレバーの倒伏端位置を規制するストッパーと係止部とが設けられていることが望ましい。
【００１０】
さらに、前記ロック部は、ロックレバーに一体に形成された押さえ爪又はロックレバーに取り付けられたシリコンゴム等の弾性押さえ部で構成されていることが望ましい。
また、前記金具本体の側面及び／又は底面には、鎖類への連結環及び／又はアクセサリー吊り下げ具が取り付けてあってもよい。
【発明の効果】
【００１１】
本発明によれば、全体をできるだけ小さくし、外力による解除を少なくし、外力が作用しても開き難くし、ループの解除を抑制し、脱落、紛失を防止し得る装飾用鎖類の止め金具を提供することができる。また、止め金具を小さくできることによって、貴金属材料の節約になり、しかも、違和感を少なくして外観体裁をアップすることができる。
【図面の簡単な説明】
【００１２】
【図１】本発明に係る止め金具の第１の実施形態を示し、（Ａ）は全体の斜視図、（Ｂ）は縦断側面図、（Ｃ）は正面図、（Ｄ）はロックレバーの斜視図、（Ｅ）はロックレバーの別例の斜視図である。
【図２】本発明に係る止め金具の第２の実施形態を示し、（Ａ）は斜視図、（Ｂ）は縦断側面図である。
【図３】本発明に係る止め金具の第３の実施形態を示し、（Ａ）は斜視図、（Ｂ）は縦断側面図である。
【図４】本発明に係る止め金具の第４の実施形態を示し、（Ａ）は斜視図、（Ｂ）は平面図である。
【図５】（Ａ）（Ｂ）は本発明の止め金具に適用される吊り下げ具の異なる実施形態を示す側面図である。
【図６】本発明に係る止め金具の第５の実施形態を示し、（Ａ）は斜視図、（Ｂ）は縦断側面図である。
【発明を実施するための形態】
【００１３】
以下、本発明に係る装飾用鎖類の止め金具の実施形態を図面を参照して説明する。
本発明に係る止め金具の第１の実施形態は、図１の（Ａ）〜（Ｃ）に示すように、金具本体１と、ロックレバー２とを備えている。
金具本体１は、鎖類３を通す溝状通路１ａを形成するために断面略Ｕ字形の樋状に形成されている。なお、鎖類３は、中心部を貫通する心紐３ａによって連続して綴られたボールチェーンを例示しているが、他の形式の鎖類や紐類などであってもよい。
ロックレバー２は、金具本体１の溝状通路１ａに通された鎖類３を該溝状通路１ａ内で拘束するために金具本体１の溝状通路１ａの一端側上部に該溝状通路１ａを横切る方向のヒンジ軸４を介して起伏操作可能に枢着されている。
【００１４】
ロックレバー２のヒンジ軸４付近には鎖類３のロック部５が設けられており、このロックレバー２を倒伏操作したときロック部５で鎖類３を拘束させると共に、金具本体１の上部開口部１ｂを蓋状に閉鎖させ、かつ、ロックレバー２を起立操作したときロック部５による鎖類３の拘束を解除させると共に、金具本体１の上部開口部１ｂを開口させるように構成してある。
金具本体１には、ロックレバー２の倒伏端位置を規制するストッパー６と係止部７とが設けられている。ストッパー６は、この実施形態においては、金具本体１の溝状通路１ａを横切る方向に架設したピン形状のものを例示しているが、これに制約されるものではない。また、係止部７は、ロックレバー２の先端側両側面に形成した凸部２ａを位置決め保持する凹部として金具本体１の内面両側部に形成されており、ロックレバー２の係脱操作時には、金具本体１の内面両側部を弾性変形させて行われる。
【００１５】
ロックレバー２のロック部５は、図１（Ａ）〜（Ｄ）では、ロックレバー２と一体に形成され、隣接する鎖片間に割り込んで鎖類３の移動を阻止する押さえ爪とした場合を例示しているが、これに制約されず、例えば図１（Ｅ）に示すように、シリコンゴム等の弾性押さえ部５ａで構成してもよい。この場合、弾性押さえ部５ａは、円柱状とし、外周にネジを切ってロックレバー２の耳部２ｂのネジ孔にねじ込むことによって固定している。なお、弾性押さえ部５ａは、前記押さえ爪と同様な形状としてロックレバー２のヒンジ軸４の付近に接着等で固着しておいてもよい。
【００１６】
図２（Ａ）（Ｂ）は、本発明に係る止め金具の第２の実施形態を示しており、この場合では、金具本体１は、２個分を直列接続して溝状通路１ａを直線上に連続させて構成されている。そして、ロックレバー２は、２個分を金具本体１の長手方向（溝状通路方向）両端にそれぞれヒンジ軸４を介して起伏操作可能に枢着されている。２個のロックレバー２、２は、互いに独立して回動操作できるように取り付けられている。この実施形態では、ロックレバー２の先端側にピン状のストッパー６ａが取り付けられており、このロックレバー２の倒伏位置に対応して、金具本体１の溝状通路１ａの両側壁に凹溝状の係止部７ａが形成されている。また、ストッパー６ａの一端には、摘み凸部６ａ’が形成されている。この場合、ストッパー６ａは、凹溝状の係止部７ａに弾性係合して保持されるように構成されている。他と構成は、第１の実施形態と同様とされている。
【００１７】
図３（Ａ）（Ｂ）は、本発明に係る止め金具の第３の実施形態を示しており、この場合では、金具本体１は、２個分を並列接続して溝状通路１ａ、１ａを横に並べて平行にして構成されている。そして、ロックレバー２は、２個分を金具本体１のそれぞれの溝状通路１ａ、１ａに対応して互いに反対側の端部にヒンジ軸４、４を介して起伏操作可能に枢着されている。この場合も、２個のロックレバー２、２は、互いに独立して回動操作できるように取り付けられている。この実施形態では、第１の実施形態と同様に、金具本体１にロックレバー２の倒伏端位置を規制するストッパー６と係止部７とが設けられている。即ち、ストッパー６は、この実施形態においては、金具本体１の溝状通路１ａを横切る方向に架設したピン形状のものを例示しており、また、係止部７は、ロックレバー２の先端側両側面に形成した凸部２ａを位置決め保持する凹部として金具本体１の内面両側部に形成されており、ロックレバー２の係脱操作時には、金具本体１の内面両側部を弾性変形させて行われる。他の構成は、第１の実施形態と同様である。
【００１８】
図４（Ａ）（Ｂ）は、本発明に係る止め金具の第４の実施形態を示しており、この場合では、金具本体１は、２個分を屈曲接続し、溝状通路１ａ、１ａを屈曲交叉させて構成されている。この場合のロックレバー２は、２個分を金具本体１のそれぞれの溝状通路１ａ、１ａに対応して互いに反対側の端部にヒンジ軸４、４を介して起伏操作可能に枢着されている。この場合も、２個のロックレバー２、２は、互いに独立して回動操作できるように取り付けられている。この実施形態では、第２の実施形態と同様に、ロックレバー２の先端にロックレバー２の倒伏端位置を規制するピン状のストッパー６ａが設けられ、これに対応して金具本体１の溝状通路１ａの両側壁に凹溝状の係止部７ａが設けられている。他の構成は、前記各実施形態と同様である。なお、２個の金具本体１、１の屈曲角度は、所望角度に設定することができる。
【００１９】
図５（Ａ）（Ｂ）は、本発明の止め金具に適用される吊り下げ具８の異なる実施形態を示す側面図であって、図５（Ａ）では、金具本体１の底面にＵ字形の連結環９をロー付け等で固着し、この連結環９に接続環１０を介して吊り下げ具８を取り付け、この吊り下げ具８に真珠、宝石、ペンダント、ブローチ、その他、各種のアクセサリー１１を吊り下げるようにした場合を示している。図５（Ｂ）では、金具本体１の底面に吊り下げ具８を直接ロー付け等で固着し、この吊り下げ具８にアクセサリー１１を吊り下げるようにした場合を示している。吊り下げ具８は、基部８ａと、この基部８ａから下方に伸びる固定フック部８ｂと、この固定フック部８ｂの閉鎖部材８ｃとを備えており、この閉鎖部材８ｃは、基部８ａにヒンジ軸８ｄを介して枢着され、常時、バネ（図示省略）によって固定フック部８ｂを閉鎖するように構成されている。アクセサリー１１を取り付ける際には、閉鎖部材８ｃをバネに抗して固定フック部８ｂの内側に押し込むことで固定フック部８ｂを開き、アクセサリー１１の吊り環１２を挿入してアクセサリー１１を吊り下げるものである。
【００２０】
上記吊り下げ具８と連結環９は、第１の実施形態における金具本体１の底面に取り付けた場合を例示しているが、これに制約されず、他の実施形態の金具本体１にも取り付けることができ、その際の取付面は、側面、その他、適宜の部分に取り付けてもよい。
図６（Ａ）（Ｂ）は、本発明の止め金具の第５の実施形態を示しており、この場合の金具本体１は、鎖類を通す環状通路１ｃを有する筒状とされ、この金具本体１と、この金具本体１の一端に前記環状通路１ｃを取り囲んで配置されたＣ字形等の割り環状の鎖類挟持片１３とを備え、該鎖類挟持片１３は、拡縮変形可能となるよう割り環状の周方向一部で金具本体１に部分的にロー付け等で固着してある。この金具本体１には、連結環９が取り付けてあるが、これは省略してもよく、また、図５（Ａ）（Ｂ）に示したような吊り下げ具８を取り付けてもよい。さらに、この第５の実施形態の金具本体１についても、図２〜図４に示した各実施形態と同様に２個分を、直列接続、並列接続、屈曲接続させてもよい。その場合、鎖類挟持片１３は、金具本体１の互いに反対側の端部に取り付けておくのがよい。
【００２１】
本発明に係る止め金具は、金、銀、白金、その他の金属によって構成され、材料節約のため、金具本体１の側面に適宜の盗み孔１４（図１（Ａ）等参照）が形成されている。
以上、本発明のいくつかの実施形態を説明してきたが、本発明は、これらの実施形態にのみ制約されるものではなく、特許請求の範囲に記載した意味と内容の範囲内で適宜、変更して実施してもよい。また、金具本体１の大きさやサイズは、鎖類３の大きさやサイズに応じて製作されるものである。
【産業上の利用可能性】
【００２２】
本発明に係る装飾用鎖類の止め金具は、ネックレス、ブレスレット、アンクレット、ペンダント、ブローチ、その他、各種の装身具用鎖類の止め金具に利用可能である。
【符号の説明】
【００２３】
１    金具本体
２    ロックレバー
３    鎖類
４    ヒンジ軸
５    ロック部
６    ストッパー
７    係止部
８    吊り下げ具
９    連結環
１０    接続環
１１    アクセサリー
１２    吊り環
１３    鎖類挟持片
１４    盗み孔
【図１】
2010246704.tif 000003
【図２】
2010246704.tif 000004
【図３】
2010246704.tif 000005
【図４】
2010246704.tif 000006
【図５】
2010246704.tif 000007
【図６】
2010246704.tif 000008